(57)【要約】【課題】簡易な構成で内容物の一部を加熱しない電子レンジ用容器を提供すること。【解決手段】電子レンジ用容器１０は、電磁遮蔽室４３を含んで開口部２１を有する容器本体２０と、複数の開口孔が形成されて電磁遮蔽室４３に対向配置された電磁遮蔽層を有し、開口部２１を封止する蓋部３０と、を備える。電磁遮蔽層の開口孔は、複数行に配設されて、隣接する行の開口孔同士が交互にずれるように設けられる。【選択図】図１
2020019483.tif 000002
【特許請求の範囲】
【請求項１】
電磁遮蔽室を含んで開口部を有する容器本体と、
複数の開口孔が形成されて前記電磁遮蔽室に対向配置された電磁遮蔽層を有し、前記開口部を封止する蓋部と、
を備えることを特徴とする電子レンジ用容器。
【請求項２】
前記開口孔は、複数行に配設されて、隣接する行の前記開口孔同士が交互にずれるように設けられることを特徴とする請求項１に記載の電子レンジ用容器。
【請求項３】
隣接する前記開口孔の間隔は、前記開口孔の内径よりも小さいことを特徴とする請求項１又は請求項２に記載の電子レンジ用容器。
【請求項４】
前記電磁遮蔽室の前記開口部の端部と、前記電磁遮蔽層とが当接することを特徴とする請求項１乃至請求項３の何れかに記載の電子レンジ用容器。
【請求項５】
前記開口部の外周縁の上面に前記蓋部と融着するリブ状の熱融着部を備え、
前記電磁遮蔽室と異なる他の収容室と隣接する位置に、前記熱融着部と前記蓋部との剥離強度を低くした蒸気排出部が形成される、
ことを特徴とする請求項１乃至請求項４の何れかに記載の電子レンジ用容器。
【発明の詳細な説明】
【技術分野】
【０００１】
本発明は、電子レンジ用容器に関する。
【背景技術】
【０００２】
従来から、内容物を電子レンジで加熱可能な弁当等の容器が提案されている。弁当の内容物には、温めて食すことに適した物（例えばご飯等）と温めて食すことに適さない物（例えばフルーツ等）が含まれる場合がある。弁当容器内の一部を加熱しないようにした技術として、例えば、特許文献１の電磁遮蔽容器が開示されている。この電磁遮蔽容器は、弁当用の容器の一部に収容される。電磁遮蔽容器は、本体の内側又は外側に電磁遮蔽部材を設け、蓋部にマイクロ波を遮蔽すると共に、中身が見える程度の大きさの孔を備えている。
【先行技術文献】
【特許文献】
【０００３】
【特許文献１】特開平９−１３２２７９号公報
【発明の概要】
【発明が解決しようとする課題】
【０００４】
しかしながら、特許文献１では、電磁遮蔽容器の本体を覆う蓋部を、容器全体の蓋部とは別体で設けているため、包装工程が煩雑となる場合がある。
【０００５】
本発明は、以上の点に鑑み、簡易な構成で内容物の一部を加熱しない電子レンジ用容器を提供することを目的とする。
【課題を解決するための手段】
【０００６】
本発明の電子レンジ用容器は、電磁遮蔽室を含んで開口部を有する容器本体と、複数の開口孔が形成されて前記電磁遮蔽室に対向配置された電磁遮蔽層を有し、前記開口部を封止する蓋部と、を備えることを特徴とする。
【発明の効果】
【０００７】
本発明によれば、簡易な構成で内容物の一部を加熱しない電子レンジ用容器を提供することができる。
【図面の簡単な説明】
【０００８】
【図１】本発明の実施形態に係る容器の斜視図である。
【図２】本発明の実施形態に係る容器本体を示す平面図である。
【図３】本発明の実施形態に係る図２の容器本体の開口部付近におけるＩＩＩ−ＩＩＩ断面図である。
【図４】本発明の実施形態に係る電磁遮蔽室の構成の一部を示す図であり、（ａ）は遮蔽容器及び電磁遮蔽層の斜視図を示し、（ｂ）は遮蔽容器及び電磁遮蔽層の平面図を示している。
【発明を実施するための形態】
【０００９】
以下、本発明を実施するための形態について述べる。図１は、電子レンジ用の容器１０の斜視図である。また図２は、容器本体２０の平面図である。容器１０は、容器本体２０と、容器本体２０を封止する蓋部３０とを備える。容器本体２０と蓋部３０とは樹脂材により形成することができる。
【００１０】
容器本体２０は、全体が略直方体状に形成され、上部に開口部２１を有する。また、容器本体２０は、開口部２１から外方に延設されたフランジ部２２を有する。フランジ部２２の外周形状は平面視略長方形である。フランジ部２２の四隅の角部はフランジ部２２の他の部分よりも幅広の幅広部２２Ａとして形成される。フランジ部２２の上面側には、上方に凸となるリブ状の熱融着部２３が形成される。熱融着部２３はフランジ部２２の全周に亘って形成される。したがって、熱融着部２３は、開口部２１の外周縁を囲うように配置される。
【００１１】
蓋部３０は、フランジ部２２と略同じ外周形状でありフィルム状に形成される。蓋部３０は、容器本体２０に内容物を収容して熱融着部２３と熱融着されることによって、開口部２１を封止する。図１では、蓋部３０の一部を熱融着部２３の上面部（図２に示すハッチング部）から剥離している様子を示している。
【００１２】
図３は、図２の容器本体２０の開口部２１付近におけるＩＩＩ−ＩＩＩ断面図である。容器本体２０のフランジ部２２は、外縁側へ向かって徐々に下方へ傾斜している。フランジ部２２の傾斜は、全周に亘って形成される。熱融着部２３の上面は略水平な平坦面として形成される。
【００１３】
図２で、フランジ部２２の一つの幅広部２２Ａにおける熱融着部２３は、開封部２４と蒸気排出部２５とを有して略Ｍ字状に形成される。各開封部２４は、蒸気排出部２５と一部を共通にして蒸気排出部２５の両側に形成され、平面視において容器本体２０の内側へ向かって拡開する略Ｖ字状に形成される。開封部２４を設けたことにより、開封部２４周辺の蓋部３０を上方側へ引っ張ると略Ｖ字状に形成した各開封部２４の先鋭部に応力が集中し、蓋部３０と開封部２４とを容易に剥離させることができる。よって、開封部２４は、蓋部３０の開封操作に対し剥離強度が弱くなるように形成される。
【００１４】
蒸気排出部２５は、図２の平面視において容器本体２０の外側へ向かって拡開する略Ｖ字状に形成される。また、蒸気排出部２５の上面は開封部２４の先鋭部から下方へ向かって傾斜しており、蒸気排出部２５の先鋭部の上面は、熱融着部２３の上面及び開封部２４の先鋭部の上面よりも低く形成される。蒸気排出部２５を設けたことにより、内容物をレンジで加熱すると、容器本体２０内の蒸気圧が上昇して蓋部３０が容器本体２０から離間する力が略Ｖ字状に形成した蒸気排出部２５の先鋭部に集中し、蓋部３０と蒸気排出部２５とを容易に剥離させることができる。このように、蒸気排出部２５は、容器本体２０内の蒸気圧に対し剥離強度が弱くなるように形成される。
【００１５】
容器本体２０内には複数の隔壁２６１〜２６３により区画された複数の収容室４０が形成される。収容室４０としては、加熱室４１，４２及び電磁遮蔽室４３が含まれる。加熱室４１及び加熱室４２には電子レンジで加熱する内容物が収容され、電磁遮蔽室４３には電子レンジで加熱しない内容物が収容される。電磁遮蔽室４３は他の収容室４０である加熱室４１及び加熱室４２よりも小さい容積で形成される。
【００１６】
隔壁２６２の高さは隔壁２６１よりもやや低くすることができ（図１も参照）、これにより、加熱室４１と加熱室４２とで蒸気圧が分圧され易くなる。そのため、蓋部３０と容器本体２０とが蒸気排出部２５と異なる箇所の熱融着部２３で剥離することを低減することができる。なお、容器本体２０内の蒸気圧の上昇により蓋部３０と隔壁２６２との間に間隙が生ずる場合は、隔壁２６２と隔壁２６１の高さを略同じとしてもよい。
【００１７】
電磁遮蔽室４３内には、図４（ａ）に示す遮蔽容器５０が収容される。遮蔽容器５０は、上方に開口部５１を有した箱状に形成される。遮蔽容器５０の側壁５２及び底面５３は、電磁遮蔽室４３の内面形状に倣った外形で形成される。遮蔽容器５０の側壁５２及び底面５３はアルミニウム等の導電性材料により形成される。遮蔽容器５０は、金属材料や金属粉を含有させた導電性材料で形成することができる。または、遮蔽容器５０は、樹脂等の基材を有し、基材の内面又は外面に導電体層を印刷、蒸着、貼着等して形成することができる。遮蔽容器５０は、導電体層による電磁遮蔽層を、側壁５２又は底面５３等の一部に設けてもよいし、全体に設けてもよい。
【００１８】
蓋部３０は、図３に示すように、基材シート３１と、この基材シート３１に形成された電磁遮蔽層３２（開口孔３２１の断面は不図示）とを有する。電磁遮蔽層３２は、アルミニウム等の導電性材料を印刷、蒸着、貼着等により基材シート３１の容器本体２０側に設けて形成される。電磁遮蔽層３２は、開口部２１の内縁２２ａ及び隔壁２６１，２６３で囲われた電磁遮蔽室４３の開口部の面積より大きく形成される。蓋部３０が容器本体２０の開口部２１を封止した状態では、電磁遮蔽層３２は遮蔽容器５０と対向する上方位置に開口部５１を覆うように配置されて、遮蔽容器５０の側壁５２の上端部が電磁遮蔽層３２と当接することができる。したがって、電磁遮蔽層３２と遮蔽容器５０とは電気的に接続されて放電を防止でき、電磁遮蔽層３２と遮蔽容器５０との間隙からのマイクロ波の侵入を防止することができる。
【００１９】
図４（ｂ）は遮蔽容器５０及び電磁遮蔽層３２の平面図である。電磁遮蔽層３２は、複数行に配設された円形の開口孔３２１を有する。開口孔３２１の一部又は全部は、遮蔽容器５０の開口部５１上（電磁遮蔽室４３の開口部上）の位置に配置される。開口孔３２１は電子レンジに使用されるマイクロ波の波長よりも十分小さい大きさであり、例えば、マイクロ波の波長が約１２ｃｍであるのに対して、開口孔３２１の形状を内径ｔ１が５ｍｍ未満の円形或いは内径ｔ１が１ｍｍ程度の円形とすることができる。したがって、開口孔３２１が形成される位置の基材シート３１を透明に形成することで、電磁遮蔽層３２は、全体としてマイクロ波を反射可能としながら開口孔３２１を介して可視光線等の短波長側の光を透過させることができる。よって、使用者は、容器１０の外部から電磁遮蔽室４３に収容された内容物を視認することができる。また開口孔３２１を内縁が突出しない円形状としたため、開口孔３２１の内縁同士で放電することを低減できる。
【００２０】
遮蔽容器５０の開口部５１上に配置された隣接する各開口孔３２１は、行方向（図４（ｂ）の平面視左右方向）に略等間隔で配置される。また、開口孔３２１は、隣接する行の開口孔３２１同士が行方向に交互にずれて配置される。開口孔３２１のずれ幅は、行内で隣接する開口孔３２１の配置間隔の略半分としている。従って、遮蔽容器５０の開口部５１上に配置された隣接する各開口孔３２１は、平面視斜め方向にも略等間隔で配置される。各開口孔３２１の行方向の配置間隔と斜め方向の配置間隔とを同間隔にしてもよい。また、隣接する開口孔３２１の間隔ｔ２は、開口孔３２１の内径ｔ１よりも小さく形成される。図４（ｂ）の例では、電磁遮蔽層３２の開口孔３２１による空隙率は約６４％である。よって、電磁遮蔽室４３は収容物を容易に視認することができる。また、図４（ａ）及び図４（ｂ）に示すように、電磁遮蔽層３２は、開口孔３２１の一部が欠けた形状とならないように端部３２２付近に開口孔３２１を設けない構成としている。すなわち本実施形態の開口孔３２１は全て円形の貫通孔である。これにより、開口孔３２１の内縁に先鋭部が形成されて開口孔３２１内等で放電することを防止しつつ、開口孔３２１を略等間隔に設けて電磁遮蔽室４３内の外部からの視認性を良くすることができる。
【００２１】
なお、図２に示した電磁遮蔽室４３において、隔壁２６１及び隔壁２６３の上面に熱融着部２３と連設されるリブ状の熱融着部を設けて、蓋部３０の対向面（例えば図３の基材シート３１の内面）と熱融着させる構成としてもよい。これにより、加熱室４１及び加熱室４２の蒸気圧が上昇しても蓋部３０が膨らんで電磁遮蔽層３２と遮蔽容器５０との間に間隙が生じることを防ぐことができ、マイクロ波や加熱室４１，４２からの水蒸気の侵入を防止して内容物の温度上昇を低減することができる。
【００２２】
また、本実施形態では、容器本体２０と別体の遮蔽容器５０を電磁遮蔽室４３に収容させる例について示したが、容器本体２０の一部である電磁遮蔽室４３の底面及び側面の一部又は全部に印刷、蒸着、貼着等により電磁遮蔽層を設けて、遮蔽容器５０を省略する構成としてもよい。
【００２３】
また、電磁遮蔽層３２及び遮蔽容器５０は、内部に電位差が生じにくいように十分な厚みや幅を持たせて形成することができる。また、本実施形態の電磁遮蔽層３２と遮蔽容器５０で囲われる外形形状は、略直方体状とした例を示したが、突出する各角部をＲ面取り状に形成して全体的に丸みを持たせた六面体形状としたり、真球状や楕円球状の球形状にして、電磁遮蔽層３２や遮蔽容器５０内に電位差が生じても表面同士の短絡を低減する構成としてもよい。
【００２４】
また、本実施形態では、各収容室４０を区画する隔壁２６１〜２６３を容器本体２０と一体に形成される例について説明したが、容器本体２０内を区画する別体の容器を、容器本体２０内に配置させて、加熱室４２及び電磁遮蔽室４３を形成してもよい。別体の容器は、容器本体２０のフランジ部２２の熱融着部２３内側に位置する内縁２２ａ上（図３参照）に係合させることができる。
【００２５】
以上、本実施形態では、複数の開口孔３２１が形成されて電磁遮蔽室４３に対向して設けられる電磁遮蔽層３２を有する蓋部３０により、開口部２１を封止する構成としたため、簡易な構成で内容物の一部を加熱しない電子レンジ用の容器１０とすることができる。また、電磁遮蔽室４３は、容器本体２０の端に配置したため、周囲の加熱室４１，４２から生じた蒸気圧による電磁遮蔽層３２と電磁遮蔽室４３との離間を低減することができる。
【００２６】
また、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２７】
１０    容器                            ２０    容器本体
２１    開口部                          ２２    フランジ部
２２Ａ  幅広部                          ２２ａ  内縁
２３    熱融着部                        ２４    開封部
２５    蒸気排出部                      ３０    蓋部
３１    基材シート                      ３２    電磁遮蔽層
４０    収容室                          ４１    加熱室
４２    加熱室                          ４３    電磁遮蔽室
５０    遮蔽容器                        ５１    開口部
５２    側壁                            ５３    底面
２６１  隔壁                            ２６２  隔壁
２６３  隔壁                            ３２１  開口孔
３２２  端部
ｔ１    内径                            ｔ２    間隔
【図１】
2020019483.tif 000003
【図２】
2020019483.tif 000004
【図３】
2020019483.tif 000005
【図４】
2020019483.tif 000006